(57)【要約】提供されるものは、警報情報を伝送するための方法および装置である。本方法は、集中型ユニット（ＣＵ）によって、警報無線リソース制御（ＲＲＣ）メッセージを生成することであって、警報ＲＲＣメッセージは、公衆警報システム（ＰＷＳ）のシステム情報である、ことと、ＣＵによって、公衆警報要求メッセージを通してＤＵに警報ＲＲＣメッセージを伝送することとを含む。公衆警報要求メッセージは、少なくとも、警報メッセージタイプと、警報メッセージ識別子と、警報メッセージ通し番号と、警報エリアリストと、繰り返し周期と、放送要求数と、警報同時インジケーションとのうちの１つを含む。
2021503808.tif 000002
【特許請求の範囲】
【請求項１】
警報情報を伝送するための方法であって、
集中型ユニット（ＣＵ）によって、警報無線リソース制御（ＲＲＣ）メッセージを生成することであって、前記警報ＲＲＣメッセージは、公衆警報システム（ＰＷＳ）のシステム情報である、ことと、
前記ＣＵによって、公衆警報要求メッセージを通して分散型ユニット（ＤＵ）に前記警報ＲＲＣメッセージを伝送することと
を含む、方法。
【請求項２】
前記公衆警報要求メッセージは、少なくとも、警報メッセージタイプと、警報メッセージ識別子と、警報メッセージ通し番号と、警報エリアリストと、繰り返し周期と、放送要求数と、警報同時インジケーションとのうちの１つを含む、請求項１に記載の方法。
【請求項３】
前記警報ＲＲＣメッセージは、少なくとも、警報メッセージ識別子と、警報メッセージ通し番号と、警報タイプと、警報セキュリティ情報と、データエンコード機構と、警報メッセージコンテンツとのうちの１つを含む、請求項１または２に記載の方法。
【請求項４】
前記ＣＵによって、前記公衆警報要求メッセージを通して前記ＤＵに前記警報ＲＲＣメッセージを伝送することは、前記ＣＵによって、Ｆ１インターフェースを使用することによって、前記公衆警報要求メッセージを通して前記ＤＵに前記警報ＲＲＣメッセージを伝送することを含む、請求項１、２、または３に記載の方法。
【請求項５】
前記警報ＲＲＣメッセージが、前記警報メッセージコンテンツを含む場合、前記ＣＵによって前記警報ＲＲＣメッセージを生成することは、前記ＣＵによって前記警報メッセージコンテンツを区画化することと、前記区画化された警報メッセージコンテンツに従って、前記警報ＲＲＣメッセージを生成することとを含む、請求項３に記載の方法。
【請求項６】
前記ＣＵによって、前記公衆警報要求メッセージを通して前記ＤＵに前記警報ＲＲＣメッセージを伝送した後、本方法はさらに、前記ＤＵによってフィードバックされる公衆警報応答メッセージを受信することを含む、請求項１に記載の方法。
【請求項７】
前記公衆警報応答メッセージは、少なくとも、警報メッセージタイプと、警報メッセージ識別子と、警報メッセージ通し番号と、警報放送完了エリアリストとを含む、請求項６に記載の方法。
【請求項８】
前記警報メッセージ識別子および前記警報メッセージ通し番号は、以下の様式、すなわち、ＲＲＣコンテナの中で搬送されることによって伝送される様式と、Ｆ１インターフェースを通して伝送される様式とのうちの一方で伝送される、請求項７に記載の方法。
【請求項９】
前記警報エリアリストは、セルリストの形態にある、請求項２に記載の方法。
【請求項１０】
前記警報放送完了エリアリストは、セルリストの形態にある、請求項７に記載の方法。
【請求項１１】
ＰＷＳ取消要求メッセージを生成し、Ｆ１インターフェースを通して前記ＤＵに前記ＰＷＳ取消要求メッセージを伝送することであって、前記ＰＷＳ取消要求メッセージは、前記警報ＲＲＣメッセージを終了させることを示すために使用される、ことと、
前記ＤＵによってフィードバックされる、ＰＷＳ取消応答メッセージを受信することと
をさらに含む、請求項１に記載の方法。
【請求項１２】
前記ＰＷＳ取消要求メッセージは、少なくとも、警報メッセージタイプと、警報メッセージ識別子と、警報メッセージ通し番号と、警報取消予定エリアリストとを含み、前記ＰＷＳ取消応答メッセージは、少なくとも、前記警報メッセージタイプと、前記警報メッセージ識別子と、前記警報メッセージ通し番号と、警報取消済エリアリストとを含む、請求項１１に記載の方法。
【請求項１３】
前記警報取消予定エリアリストは、セルリストの形態にあり、前記警報取消済エリアリストは、セルリストの形態にある、請求項１２に記載の方法。
【請求項１４】
前記警報メッセージ識別子および前記警報メッセージ通し番号は、以下の様式、すなわち、ＲＲＣコンテナの中で搬送されることによって伝送される様式と、Ｆ１インターフェースを通して伝送される様式とのうちの一方で伝送される、請求項１２または１３に記載の方法。
【請求項１５】
前記ＤＵによって伝送される、再起動セルリストおよび失敗セルリストを受信することと、
前記再起動セルリストおよび前記失敗セルリストをコアネットワークデバイスに伝送することと
をさらに含む、請求項１に記載の方法。
【請求項１６】
前記ＤＵによって伝送される、前記再起動セルリストおよび前記失敗セルリストを受信することは、前記ＤＵによって、ＰＷＳ再起動インジケーションメッセージを通して伝送される、前記再起動セルリストと、前記ＤＵによって、ＰＷＳ失敗インジケーションメッセージを通して伝送される、前記失敗セルリストとを受信することを含む、請求項１５に記載の方法。
【請求項１７】
前記警報メッセージ識別子が、前記ＲＲＣコンテナの中で搬送されることによって伝送され、前記警報メッセージ識別子および前記警報メッセージ通し番号が、前記警報ＲＲＣメッセージの中でエンコードされている場合、本方法はさらに、前記ＣＵによって、前記ＤＵにＦ１インターフェースメッセージの関連付けられる識別情報を伝送することを含み、前記関連付けられる識別情報は、現在の警報プロセスを示すために使用される、請求項１４に記載の方法。
【請求項１８】
警報情報を伝送するための方法であって、
分散型ユニット（ＤＵ）によって、集中型ユニット（ＣＵ）によって公衆警報要求メッセージを通して伝送される、警報パラメータを受信することと、
前記ＤＵによって、前記警報パラメータを使用することによって警報無線リソース制御（ＲＲＣ）メッセージを生成することであって、前記警報ＲＲＣメッセージは、公衆警報システム（ＰＷＳ）のシステム情報である、ことと、
前記ＤＵによって、公衆警報応答メッセージを通して前記ＣＵに前記警報ＲＲＣメッセージを伝送することと
を含む、方法。
【請求項１９】
前記警報パラメータは、少なくとも、警報メッセージタイプと、警報メッセージ識別子と、警報エリアリストと、警報メッセージコンテンツと、警報メッセージ通し番号と、繰り返し周期と、拡張繰り返し周期と、放送要求数と、警報タイプと、警報セキュリティ情報と、データエンコード機構と、同時警報メッセージインジケーションとのうちの１つを含む、請求項１８に記載の方法。
【請求項２０】
前記警報ＲＲＣメッセージは、少なくとも、警報メッセージ識別子と、警報メッセージ通し番号と、警報タイプと、警報セキュリティ情報と、データエンコード機構と、警報メッセージコンテンツとのうちの１つを含む、請求項１８または１９に記載の方法。
【請求項２１】
前記公衆警報応答メッセージは少なくとも、警報メッセージタイプと、警報メッセージ識別子と、警報メッセージ通し番号と、警報放送完了エリアリストとを含む、請求項１８に記載の方法。
【請求項２２】
前記ＣＵによって伝送される、ＰＷＳ取消要求メッセージを受信し、ＰＷＳ取消応答メッセージを生成し、Ｆ１インターフェースを通して前記ＣＵに前記ＰＷＳ取消応答メッセージを伝送することであって、前記ＰＷＳ取消要求メッセージは、警報を終了させることを示すために使用される、ことと、
前記ＣＵに前記ＰＷＳ取消応答メッセージをフィードバックすることと
をさらに含む、請求項１８に記載の方法。
【請求項２３】
前記ＰＷＳ取消要求メッセージは、少なくとも、警報メッセージタイプと、警報メッセージ識別子と、警報メッセージ通し番号と、警報取消予定エリアリストとを含み、前記ＰＷＳ取消応答メッセージは、少なくとも、前記警報メッセージタイプと、前記警報メッセージ識別子と、前記警報メッセージ通し番号と、警報取消済エリアリストとを含む、請求項２２に記載の方法。
【請求項２４】
前記ＣＵに再起動セルリストおよび失敗セルリストを伝送し、前記ＣＵが、コアネットワークデバイスに前記再起動セルリストおよび前記失敗セルリストを伝送することを可能にすることをさらに含む、請求項１８に記載の方法。
【請求項２５】
前記警報エリアリストは、セルリストの形態にある、請求項１９に記載の方法。
【請求項２６】
前記警報放送完了エリアリストは、セルリストの形態にある、請求項２１に記載の方法。
【請求項２７】
前記警報取消予定エリアリストは、セルリストの形態にあり、前記警報取消済エリアリストは、セルリストの形態にある、請求項２３に記載の方法。
【請求項２８】
前記警報メッセージ識別子および前記警報メッセージ通し番号は、以下の様式、すなわち、ＲＲＣコンテナの中で搬送されることによって伝送される様式と、Ｆ１インターフェースを通して伝送される様式とのうちの一方で伝送される、請求項２０に記載の方法。
【請求項２９】
前記警報メッセージ識別子が、前記ＲＲＣコンテナの中で搬送されることによって伝送され、前記警報メッセージ識別子および前記警報メッセージ通し番号が、前記警報ＲＲＣメッセージの中でエンコードされている場合、本方法はさらに、前記ＣＵによって伝送される、Ｆ１インターフェースメッセージの関連付けられる識別情報を受信することを含み、前記関連付けられる識別情報は、現在の警報プロセスを示すために使用される、請求項２８に記載の方法。
【請求項３０】
前記ＣＵに前記再起動セルリストおよび前記失敗セルリストを伝送することは、
ＰＷＳ再起動インジケーションメッセージを通して前記ＣＵに前記再起動セルリストを伝送することと、
ＰＷＳ失敗インジケーションメッセージを通して前記ＣＵに前記失敗セルリストを伝送することと
を含む、請求項２４に記載の方法。
【請求項３１】
集中型ユニット（ＣＵ）に適用される、警報情報を伝送するための装置であって、
警報無線リソース制御（ＲＲＣ）メッセージを生成するように構成される、生成モジュールであって、前記警報ＲＲＣメッセージは、公衆警報システムのシステム情報である、生成モジュールと、
公衆警報要求メッセージを通して分散型ユニット（ＤＵ）に前記警報ＲＲＣメッセージを伝送するように構成される、伝送モジュールと
を備える、装置。
【請求項３２】
分散型ユニット（ＤＵ）に適用される、警報情報を伝送するための装置であって、
集中型ユニット（ＣＵ）によって公衆警報要求メッセージを通して伝送される、警報パラメータを受信するように構成される、受信モジュールと、
前記警報パラメータを使用することによって警報無線リソース制御（ＲＲＣ）メッセージを生成するように構成される、生成モジュールであって、前記警報ＲＲＣメッセージは、公衆警報システムのシステム情報である、生成モジュールと、
公衆警報応答メッセージを通して前記ＣＵに前記警報ＲＲＣメッセージを伝送するように構成される、伝送モジュールと
を備える、装置。
【請求項３３】
記憶媒体であって、実行されているとき、請求項１〜３０のいずれか１項に記載の方法を実行する、プログラムを記憶する、記憶媒体。
【請求項３４】
プロセッサであって、実行されているとき、請求項１〜３０のいずれか１項に記載の方法を実行する、プログラムを実行するように構成される、プロセッサ。
【発明の詳細な説明】
【技術分野】
【０００１】
（関連出願の相互参照）
本願は、その開示が参照することによってその全体として本明細書に組み込まれる、２０１７年１１月１７日に出願された、中国特許出願第２０１７１１１４７１４０．１号の優先権を主張する。
【０００２】
（技術分野）
本開示は、電気通信技術分野に関し、例えば、警報情報を伝送するための方法および装置に関する。
【背景技術】
【０００３】
（背景）
第５世代モバイル通信技術（５Ｇ）ネットワークアーキテクチャは、革新およびネットワーキングの柔軟性を有し、５Ｇネットワーク内の無線アクセスネットワーク側上の基地局が、２つの機能性エンティティ、すなわち、集中型ユニット（ＣＵ）と、分散型ユニット（ＤＵ）とに分離されている。集中型ユニットによって複数の分散型ユニットを制御することは、クラウドアーキテクチャのベースバンド集中処理を実装し、遠隔ユーザのためにサービスを分散して提供し得る。ＣＵ−ＤＵ分離ネットワークアーキテクチャでは、時間遅延の影響を受けないネットワーク機能が、ＣＵの中に設けられ、時間遅延の影響を受けやすいネットワーク機能が、ＤＵの中に設けられ、一方では、大量のコアネットワークシグナリングオーバーヘッドが、節約され、他方では、切替の時間遅延が、低減され、新しい無線（ＮＲ）システムの移動性能が、強化され得る。伝送および接続が、ＣＵとＤＵとの間で、Ｆ１インターフェースを通して実施される。
【０００４】
ロングタームエボリューション（ＬＴＥ）システムでは、地震および津波警報システム（ＥＴＷＳ）重要通知ならびにＥＴＷＳ補助通知が、基地局システムメッセージの中のシステム情報ブロックタイプ１０（ＳＩＢ１０）およびシステム情報ブロックタイプ１１（ＳＩＢ１１）を通してユーザ機器（ＵＥ）に伝送される。ＳＩＢ１０は、ＥＴＷＳ重要通知を含み、ＳＩＢ１１は、ＥＴＷＳ補助通知を含み、ＳＩＢ１０およびＳＩＢ１１の存在または修正は、ページングメッセージを通してＵＥに通知される。ＵＥが、ページングメッセージを監視すると、ＵＥは、ページングメッセージがＥＴＷＳインジケーションフィールドを含むかどうかを判定する。ページングメッセージが、ＥＴＷＳインジケーションフィールドを含む場合、ＵＥは、基地局システムメッセージの中のＳＩＢ１１の予定情報リストフィールドに従って、ＥＴＷＳ重要通知を含む、ＳＩＢ１０と、ＥＴＷＳ補助通知を含む、ＳＩＢ１１とを受信し始める。基地局は、警報情報が生じた後、ＥＷＴＳインジケーションフィールドを含む、ページングメッセージを継続的に伝送し、サービスエリア内の全てのＵＥがページングメッセージを受信し得ることを確実にするであろう。
【０００５】
５Ｇでは、Ｆ１インターフェース上にＥＴＷＳに対応するシステム情報位置と、基本災害警報プロセスとを含む、ＣＵ−ＤＵネットワーキングアーキテクチャ下におけるＥＴＷＳは、まだ判定されておらず、これは、ＣＵおよびＤＵを、正常に警報通知を実施することが不可能な状態にする。
【発明の概要】
【発明が解決しようとする課題】
【０００６】
（要約）
本開示は、警報情報を伝送し、少なくとも、警報通知がＣＵ−ＤＵネットワーキングアーキテクチャにおいて実施されることが不可能であるという問題を解決するための、方法および装置を提供する。
【課題を解決するための手段】
【０００７】
本開示は、集中型ユニット（ＣＵ）によって、警報無線リソース制御（ＲＲＣ）メッセージを生成することであって、警報ＲＲＣメッセージは、公衆警報システム（ＰＷＳ）のシステム情報である、ことと、ＣＵによって、公衆警報要求メッセージを通してＤＵに警報ＲＲＣメッセージを伝送することとを含む、警報情報を伝送するための方法を提供する。
【０００８】
本開示はさらに、分散型ユニット（ＤＵ）によって、ＣＵによって公衆警報要求メッセージを通して伝送される、警報パラメータを受信することと、ＤＵによって、警報パラメータを使用することによって警報ＲＲＣメッセージを生成することであって、警報ＲＲＣメッセージは、公衆警報システム（ＰＷＳ）のシステム情報である、ことと、ＤＵによって、公衆警報応答メッセージを通してＣＵに警報ＲＲＣメッセージを伝送することとを含む、警報情報を伝送するための方法を提供する。
【０００９】
本開示はさらに、警報無線リソース制御（ＲＲＣ）メッセージを生成するように配列される、生成モジュールであって、警報ＲＲＣメッセージは、公衆警報システムのシステム情報である、生成モジュールと、公衆警報要求メッセージを通してＤＵに警報ＲＲＣメッセージを伝送するように配列される、伝送モジュールとを含む、ＣＵに適用される、警報情報を伝送するための装置を提供する。
【００１０】
本開示はさらに、ＣＵによって公衆警報要求メッセージを通して伝送される、警報パラメータを受信するように配列される、受信モジュールと、警報パラメータを使用することによって警報無線リソース制御（ＲＲＣ）メッセージを生成するように配列される、生成モジュールであって、警報ＲＲＣメッセージは、公衆警報システムのシステム情報である、生成モジュールと、公衆警報応答メッセージを通してＣＵに警報ＲＲＣメッセージを伝送するように配列される、伝送モジュールとを含む、ＤＵに適用される、警報情報を伝送するための装置を提供する。
【００１１】
本開示はさらに、記憶媒体を提供する。記憶媒体は、実行されているとき、上記に説明される任意の方法を実施する、記憶されたプログラムを含む。
【００１２】
本開示はさらに、プロセッサを提供する。プロセッサは、実行されているとき、上記に説明される任意の方法を実施する、プログラムを実行するように配列される。
【図面の簡単な説明】
【００１３】
【図１】図１は、本開示のある実施形態によって提供される、警報情報を伝送するための方法のフローチャートである。
【図２】図２は、本開示のある実施形態によって提供される、警報情報を伝送するための方法のフローチャートである。
【図３】図３は、本開示のある実施形態によって提供される、警報情報を伝送するための装置のブロック図である。
【図４】図４は、本開示のある実施形態によって提供される、警報情報を伝送するための装置のブロック図である。
【図５】図５は、本開示のある実施形態によって提供される、警報メッセージ伝送のフローチャートである。
【図６】図６は、本開示のある実施形態によって提供される、警報メッセージ取消のフローチャートである。
【図７】図７は、本開示のある実施形態によって提供される、ＰＷＳ再起動インジケーションのフローチャートである。
【図８】図８は、本開示のある実施形態によって提供される、ＰＷＳ失敗インジケーションのフローチャートである。
【図９】図９は、本開示のある実施形態によって提供される、ＰＷＳ再起動インジケーションのフローチャートである。
【図１０】図１０は、本開示のある実施形態によって提供される、ＰＷＳ失敗インジケーションのフローチャートである。
【発明を実施するための形態】
【００１４】
（詳細な説明）
本開示は、以下において、図面を参照し、実施形態と併せて詳細に説明されるであろう。
【００１５】
本開示の説明、請求項、および上記の図面における、用語「第１の」、「第２の」、ならびに同等物は、類似する物体を区別するために使用され、必ずしも特定の順序またはシーケンスを説明するために使用されるものではない。
【００１６】
実施形態１
ある実施形態において実行され得る、ネットワークアーキテクチャは、ＣＵと、ＤＵとを含み、情報が、ＣＵとＤＵとの間で交換される。
【００１７】
図１は、本開示のある実施形態によって提供される、警報情報を伝送するための方法のフローチャートである。図１に示されるように、実施形態によって提供される方法は、下記に説明されるステップを含む。
【００１８】
ステップＳ１０２では、ＣＵは、警報ＲＲＣメッセージを生成し、警報ＲＲＣメッセージは、ＰＷＳのシステム情報である。
【００１９】
ステップＳ１０４では、ＣＵは、公衆警報要求メッセージを通してＤＵに警報ＲＲＣメッセージを伝送する。
【００２０】
上記のステップを通して、ＣＵは、ＣＵ−ＤＵネットワーキングアーキテクチャ下でＥＴＷＳを実装する、公衆警報要求メッセージを通して、ＤＵに警報ＲＲＣメッセージを伝送し、警報通知がＣＵ−ＤＵネットワーキングアーキテクチャ下で実施されることが不可能であるという問題を解決し、ネットワークの耐災害性能および安定性を改良する。
【００２１】
ある実施形態では、上記のステップは、必ずしもではないが、ＣＵによって実行されてもよい。
【００２２】
ある実施形態では、公衆警報要求メッセージは、警報メッセージタイプと、警報メッセージ識別子と、警報メッセージ通し番号と、警報エリアリストと、繰り返し周期と、放送要求数と、警報同時インジケーションと、警報ＲＲＣメッセージとのうちの少なくとも１つを含む。
【００２３】
ある実施形態では、警報ＲＲＣメッセージは、警報メッセージ識別子と、警報メッセージ通し番号と、警報タイプと、警報セキュリティ情報と、データエンコード機構と、警報メッセージコンテンツとのうちの少なくとも１つを含む。
【００２４】
ある実施形態では、ＣＵが公衆警報要求メッセージを通してＤＵに警報ＲＲＣメッセージを伝送するステップは、ＣＵによって、Ｆ１インターフェースを使用することによって公衆警報要求メッセージを通してＤＵに警報ＲＲＣメッセージを伝送することを含む。
【００２５】
ある実施形態では、ＣＵが警報ＲＲＣメッセージを生成するステップは、ＣＵによって警報メッセージコンテンツを区画化することと、区画化された警報メッセージコンテンツに従って、警報ＲＲＣメッセージを生成することとを含む。
【００２６】
ある実施形態では、ＣＵが公衆警報要求メッセージを通してＤＵに警報ＲＲＣメッセージを伝送するステップの後、本方法はさらに、ＤＵによってフィードバックされる公衆警報応答メッセージを受信することを含む。
【００２７】
ある実施形態では、公衆警報応答メッセージは、少なくとも、警報メッセージタイプと、警報メッセージ識別子と、警報メッセージ通し番号と、警報放送完了エリアリストとを含む。
【００２８】
ある実施形態では、警報メッセージ識別子および警報メッセージ通し番号は、以下の様式、すなわち、ＲＲＣコンテナの中で搬送されることによって伝送される様式と、Ｆ１インターフェースを通して伝送される様式とのうちの一方で伝送される。
【００２９】
ある実施形態では、警報エリアリストは、セルリストの形態にあり、警報放送完了エリアリストは、セルリストの形態にある。
【００３０】
ある実施形態では、本方法はさらに、ＰＷＳ取消要求メッセージを生成し、Ｆ１インターフェースを通してＤＵにＰＷＳ取消要求メッセージを伝送することであって、ＰＷＳ取消要求メッセージは、警報ＲＲＣメッセージを終了させることを示すために使用される、ことと、ＤＵによってフィードバックされる、ＰＷＳ取消応答メッセージを受信することとを含む。
【００３１】
ある実施形態では、ＰＷＳ取消要求メッセージは、少なくとも、警報メッセージタイプと、警報メッセージ識別子と、警報メッセージ通し番号と、警報取消予定エリアリストとを含み、ＰＷＳ取消応答メッセージは、少なくとも、警報メッセージタイプと、警報メッセージ識別子と、警報メッセージ通し番号と、警報取消済エリアリストとを含む。
【００３２】
ある実施形態では、警報取消予定エリアリストは、セルリストの形態にあり、警報取消済エリアリストは、セルリストの形態にある。
【００３３】
ある実施形態では、警報メッセージ識別子および警報メッセージ通し番号は、以下の様式、すなわち、ＲＲＣコンテナの中で搬送されることによって伝送される様式と、Ｆ１インターフェースを通して伝送される様式とのうちの一方で伝送される。
【００３４】
ある実施形態では、本方法はさらに、ＤＵによって伝送される、再起動セルリストおよび失敗セルリストを受信することと、再起動セルリストならびに失敗セルリストをコアネットワークデバイスに伝送することとを含む。
【００３５】
ある実施形態では、ＤＵによって伝送される、再起動セルリストおよび失敗セルリストを受信することは、ＤＵによって、ＰＷＳ再起動インジケーションメッセージを通して伝送される、再起動セルリストと、ＤＵによって、ＰＷＳ失敗インジケーションメッセージを通して伝送される、失敗セルリストとを受信することを含む。
【００３６】
ある実施形態では、警報メッセージ識別子が、ＲＲＣコンテナの中で搬送されることによって伝送され、警報メッセージ識別子および警報メッセージ通し番号が、警報ＲＲＣメッセージの中でエンコードされている場合、本方法はさらに、ＣＵによって、ＤＵにＦ１インターフェースメッセージの関連付けられる識別情報を伝送することを含み、関連付けられる識別情報は、現在の警報プロセスを示すために使用される。
【００３７】
図２は、本開示のある実施形態によって提供される、警報情報を伝送するための方法のフローチャートである。図２に示されるように、実施形態によって提供される方法は、下記に説明されるステップを含む。
【００３８】
ステップＳ２０２では、ＤＵは、ＣＵによって公衆警報要求メッセージを通して伝送される、警報パラメータを受信する。
【００３９】
ステップＳ２０４では、ＤＵは、警報パラメータを使用することによって警報無線リソース制御（ＲＲＣ）メッセージを生成する。警報ＲＲＣメッセージは、公衆警報システムのシステム情報である。
【００４０】
ステップＳ２０６では、ＤＵは、公衆警報応答メッセージを通してＣＵに警報ＲＲＣメッセージを伝送する。
【００４１】
ある実施形態では、警報パラメータは、少なくとも、警報メッセージタイプと、警報メッセージ識別子と、警報エリアリストと、警報メッセージコンテンツと、警報メッセージ通し番号と、繰り返し周期と、拡張繰り返し周期と、放送要求数と、警報タイプと、警報セキュリティ情報と、データエンコード機構と、同時警報メッセージとのうちの１つを含む。
【００４２】
ある実施形態では、警報ＲＲＣメッセージは、少なくとも、警報メッセージ識別子と、警報メッセージ通し番号と、警報タイプと、警報セキュリティ情報と、データエンコード機構と、警報メッセージコンテンツとのうちの１つを含む。
【００４３】
ある実施形態では、公衆警報応答メッセージは少なくとも、警報メッセージタイプと、警報メッセージ識別子と、警報メッセージ通し番号と、警報放送完了エリアリストとを含む。
【００４４】
ある実施形態では、本方法はさらに、ＣＵによって伝送される、ＰＷＳ取消要求メッセージを受信し、ＰＷＳ取消応答メッセージを生成し、Ｆ１インターフェースを通してＣＵにＰＷＳ取消応答メッセージを伝送することであって、ＰＷＳ取消要求メッセージは、警報を終了させることを示すために使用される、ことと、ＣＵにＰＷＳ取消応答メッセージをフィードバックすることとを含む。
【００４５】
ある実施形態では、ＰＷＳ取消要求メッセージは、少なくとも、警報メッセージタイプと、警報メッセージ識別子と、警報メッセージ通し番号と、警報取消予定エリアリストとを含み、ＰＷＳ取消応答メッセージは、少なくとも、警報メッセージタイプと、警報メッセージ識別子と、警報メッセージ通し番号と、警報取消済エリアリストとを含む。
【００４６】
ある実施形態では、本方法はさらに、ＣＵに再起動セルリストおよび失敗セルリストを伝送し、ＣＵが、コアネットワークデバイスに再起動セルリストおよび失敗セルリストを伝送することを可能にすることを含む。
【００４７】
ある実施形態では、ＣＵに再起動セルリストおよび失敗セルリストを伝送することは、ＰＷＳ再起動インジケーションメッセージを通してＣＵに再起動セルリストを伝送することと、ＰＷＳ失敗インジケーションメッセージを通してＣＵに失敗セルリストを伝送することとを含む。
【００４８】
ある実施形態では、警報エリアリストは、セルリストの形態にあり、警報放送完了エリアリストは、セルリストの形態にある。
【００４９】
ある実施形態では、警報取消予定エリアリストは、セルリストの形態にあり、警報取消済エリアリストは、セルリストの形態にある。
【００５０】
ある実施形態では、警報メッセージ識別子および警報メッセージ通し番号は、以下の様式、すなわち、ＲＲＣコンテナの中で搬送されることによって伝送される様式と、Ｆ１インターフェースを通して伝送される様式とのうちの一方で伝送される。
【００５１】
ある実施形態では、警報メッセージ識別子が、ＲＲＣコンテナの中で搬送されることによって伝送され、警報メッセージ識別子および警報メッセージ通し番号が、警報ＲＲＣメッセージの中でエンコードされている場合、本方法はさらに、ＣＵによって伝送される、Ｆ１インターフェースメッセージの関連付けられる識別情報を伝送することを含み、関連付けられる識別情報は、現在の警報プロセスを示すために使用される。
【００５２】
上記に説明される実装モードの説明から、上記で説明される本実施形態における方法は、ソフトウェアおよび必要な汎用目的ハードウェアプラットフォームによって実装され得る、または当然ながら、ハードウェアによって実装され得ることが、当業者によって理解され得る。しかしながら、多くの場合、前者が、好ましい実装モードである。そのような理解に基づいて、本開示によって提供されるソリューションは、ソフトウェア製品の形態で具現化され得る。コンピュータソフトウェア製品は、（読取専用メモリ（ＲＯＭ）、ランダムアクセスメモリ（ＲＡＭ）、磁気ディスク、または光ディスク等の）非一過性記憶媒体の中に記憶され、記憶媒体は、（モバイルフォン、コンピュータ、サーバ、もしくはネットワークデバイスであり得る）端末デバイスが本開示の任意の実施形態において説明される方法を実施することを可能にするための複数の命令を含む。
【００５３】
実施形態２
ある実施形態はさらに、警報情報を伝送するための装置を提供する。装置は、上記に言及される実施形態を実装するように配列され、そのため、説明済みであるものは、繰り返されないであろう。下記に使用されるように、用語「モジュール」は、所定の機能を実装することが可能である、ソフトウェア、ハードウェア、またはそれらの組み合わせであり得る。実施形態の中で下記に説明されるおける装置は、ソフトウェアによって実装され得るが、ハードウェアによる、またはソフトウェアとハードウェアとの組み合わせによる実装もまた、可能性として考えられ、想起される。
【００５４】
図３は、本開示のある実施形態によって提供される、警報情報を伝送するための装置のブロック図である。実施形態によって提供される装置は、ＣＵに適用される。図３に示されるように、実施形態によって提供される装置は、警報無線リソース制御（ＲＲＣ）メッセージを生成するように配列される、生成モジュール３０であって、警報ＲＲＣメッセージは、公衆警報システムのシステム情報である、生成モジュール３０と、公衆警報要求メッセージを通してＤＵに警報ＲＲＣメッセージを伝送するように配列される、伝送モジュール３２とを含む。
【００５５】
図４は、本開示のある実施形態によって提供される、警報情報を伝送するための装置のブロック図である。図４に示されるように、ＣＵによって公衆警報要求メッセージを通して伝送される警報パラメータを受信するように配列される、受信モジュール４０と、警報パラメータを使用することによって警報無線リソース制御（ＲＲＣ）メッセージを生成するように配列される、生成モジュール４２であって、警報ＲＲＣメッセージは、公衆警報システムのシステム情報である、生成モジュール４２と、公衆警報応答メッセージを通してＣＵに警報ＲＲＣメッセージを伝送するように配列される、伝送モジュール４４とを含む、実施形態によって提供される装置は、ＤＵに適用される。
【００５６】
ある実施形態では、上記に説明される任意のモジュールが、ソフトウェアまたはハードウェアによって実装されてもよい。ハードウェアによる実装は、必ずしもではないが、以下、すなわち、上記に説明される種々のモジュールが、同一のプロセッサの中に位置するか、またはそれぞれ、異なるプロセッサの中に位置するように実施されてもよい。
【００５７】
実施形態３
ある実施形態は、次世代無線通信におけるＣＵ−ＤＵネットワーキングアーキテクチャ下にＥＴＷＳを提供する。ＥＴＷＳに対応するシステム情報等の、５Ｇ  ＣＵ−ＤＵアーキテクチャ下でのＥＴＷＳの適用が、明確に規定され、Ｆ１インターフェース上の基本災害警報プロセスは、明確に規定される。
【００５８】
実施形態では、警報ＲＲＣメッセージの生成に従って、２つの場合、すなわち、ＣＵが警報ＲＲＣメッセージを生成する場合と、ＤＵが警報ＲＲＣメッセージを生成する場合とが、提供され得る。
【００５９】
ＣＵが警報ＲＲＣメッセージを生成する場合が、以下のように説明される。警報メッセージを伝送するプロセスでは、ＣＵは、ＰＷＳのシステム情報（ＳＩ）ＲＲＣメッセージを生成し、公衆警報要求メッセージを通してＤＵにＲＲＣメッセージを伝送する。
【００６０】
上記のＳＩ  ＲＲＣメッセージは、１．警報メッセージタイプと、２．警報メッセージ識別子と、３．警報メッセージ通し番号と、４．警報エリアリストと、５．繰り返し周期と、６．拡張繰り返し周期と、７．放送要求数と、８．警報タイプと、９．警報セキュリティ情報と、１０．データエンコード機構と、１１．警報メッセージコンテンツと、１２．同時警報メッセージインジケーションとのうちの少なくとも１つを含む。
【００６１】
情報２、３、８、９、１０、および１１は、ＳＩＢ１０ならびにＳＩＢ１１の中に含まれてもよく、ＣＵによって、ＲＲＣコンテナ（ＣＯＮＴＡＩＮＥＲ）の様式で直接ＤＵに伝送されてもよい。ある実施形態では、情報２、３、８、９、１０、および１１は、代替として、ＣＵによって、Ｆ１インターフェースを通して直接ＤＵに伝送されてもよい。
【００６２】
情報５、６、７、および１２は、システム情報ブロック（ＳＩＢ）において、ＤＵによってセルに対して発行されるように要求される、構成情報であり、ＣＵによって、Ｆ１インターフェースを通してＤＵに伝送される。
【００６３】
情報４、すなわち、警報エリアリストは、セルリストの形態で伝送されてもよい。すなわち、ＣＵは、ＮＧインターフェースの追跡エリア識別（ＴＡＩ）リストおよび警報エリアリスト情報を通して、放送される必要があるセルリストを選別し、Ｆ１インターフェースを通してＤＵにセルリストを伝送してもよい。
【００６４】
情報１１、すなわち、警報メッセージコンテンツは、ＣＵ上で区画化される必要があり、いくつかの区画化情報が、Ｆ１インターフェースを通して伝送される。一実施形態では、全ての区画化情報が、１つのＦ１インターフェースメッセージの中に含まれてもよい、またはいくつかの区画化情報が、独立して伝送されてもよく、独立的なフィードバックが、実施されてもよい。
【００６５】
警報処理要求を受信した後、ＤＵは、ＣＵに警報応答メッセージを伝送し、処理結果をフィードバックする。
【００６６】
ある実施形態では、上記の警報応答メッセージは、少なくとも、１．警報メッセージタイプと、２．警報メッセージ識別子と、３．警報メッセージ通し番号と、４．警報放送完了エリアリストとを含む。
【００６７】
情報２および３は、ＲＲＣコンテナの中に含まれ、ＣＵによってＤＵに直接伝送されてもよい。ある実施形態では、情報２および３は、代替として、ＣＵによって、Ｆ１インターフェースを通して直接ＤＵに伝送されてもよい。
【００６８】
情報４、すなわち、警報放送完了エリアリストは、セルリストの形態で伝送されてもよい。
【００６９】
ある実施形態では、ＤＵが、並行処理を実施し得、遅延問題が存在し得ると考慮して、ＣＵがセッション識別子（ＩＤ）等の警報メッセージ関連付けを実施することを促進し、ＣＵが対応する応答メッセージを生成し、認証管理機能（ＡＭＦ）にフィードバックすることを促進する、対応する関連付け情報が、Ｆ１インターフェース上に導入される必要がある。または、警報メッセージは、ＮＧインターフェース上で警報要求および警報応答メッセージを再利用することによって関連付けられる。
【００７０】
警報取消のプロセスでは、ＣＵは、ＰＷＳ取消要求メッセージを生成し、Ｆ１インターフェースを通してＤＵにＰＷＳ取消要求メッセージを伝送し、警報情報の放送を終了させる。ＰＷＳ取消要求メッセージを受信した後、ＤＵは、Ｆ１インターフェースを通してＣＵにＰＷＳ取消応答メッセージをフィードバックする。
【００７１】
上記のＰＷＳ取消要求メッセージは、少なくとも、１．警報メッセージタイプと、２．警報メッセージ識別子と、３．警報メッセージ通し番号と、４．警報取消予定エリアリストとを含む。
【００７２】
情報２および３は、ＲＲＣコンテナの中に含まれ、ＣＵによってＤＵに直接伝送されてもよい。ある実施形態では、情報２および３は、代替として、ＣＵによって、Ｆ１インターフェースを通して直接ＤＵに伝送されてもよい。
【００７３】
警報取消予定エリアリストは、セルリストのあるレベルである。
【００７４】
上記のＰＷＳ取消応答メッセージは、少なくとも、１．警報メッセージタイプと、２．警報メッセージ識別子と、３．警報メッセージ通し番号と、４．警報取消済エリアリストとを含む。
【００７５】
ある実施形態では、情報２および３は、ＲＲＣコンテナの中に含まれ、ＣＵによってＤＵに直接伝送されてもよい。ある実施形態では、情報２および３は、代替として、ＣＵによって、Ｆ１インターフェースを通して直接ＤＵに伝送されてもよい。
【００７６】
警報取消済エリアリストは、セルリストのあるレベルである。
【００７７】
ある実施形態では、ＤＵが、並行処理を実施し得、遅延問題が存在し得ると考慮して、ＣＵがセッション識別子（ＩＤ）等の警報メッセージ関連付けを実施することを促進し、ＣＵが対応する応答メッセージを生成し、認証管理機能（ＡＭＦ）にフィードバックすることを促進する、対応する関連付け情報が、Ｆ１インターフェース上に導入される必要がある。または、警報メッセージは、ＮＧインターフェース上で警報要求および警報応答メッセージを再利用することによって関連付けられる。
【００７８】
ＰＷＳ再起動インジケーションおよびＰＷＳ失敗インジケーションのプロセスを実施するとき、ＤＵは、再起動セルリストならびに失敗セルリストを、それぞれ、Ｆ１インターフェースを通してＣＵに伝送する必要がある。ＣＵは、警報再起動セルリストおよび警報失敗セルリストを、別個に、ＰＷＳ再起動インジケーションにおける警報再起動エリアリストとして、かつＰＷＳ失敗インジケーションにおける警報失敗エリアリストとして、ＮＧインターフェースを通してコアネットワークデバイスに伝送する。
【００７９】
ＤＵにおいて警報ＲＲＣメッセージを生成する全体的なプロセスは、ＣＵにおいて警報ＲＲＣメッセージを生成するプロセスに類似する。差異は、関わるパラメータの全てが、ＣＵからＦ１インターフェースを通してＤＵに伝送される必要があることである。
【００８０】
図５は、本開示のある実施形態によって提供される、警報メッセージ伝送のフローチャートである。図５に示されるように、実施形態によって提供される警報メッセージ伝送プロセスは、下記に説明されるステップを含む。
【００８１】
ステップ１０１０では、ＣＵは、Ｆ１インターフェースを通してＤＵに公衆警報要求メッセージを伝送する。
【００８２】
ステップ１０２０では、ＤＵは、得られた情報に従って、Ｆ１インターフェースを通してＣＵに公衆警報応答メッセージをフィードバックする。
【００８３】
図６は、本開示のある実施形態によって提供される、警報メッセージ取消のフローチャートである。図６に示されるように、実施形態によって提供される警報メッセージ取消プロセスは、下記に説明されるステップを含む。
【００８４】
ステップ２０１０では、ＣＵは、Ｆ１インターフェースを通してＤＵにＰＷＳ取消要求メッセージを伝送する。
【００８５】
ステップ２０２０では、ＤＵは、得られた情報に従って、Ｆ１インターフェースを通してＣＵにＰＷＳ取消応答メッセージをフィードバックする。
【００８６】
図７は、本開示のある実施形態によって提供される、ＰＷＳ再起動インジケーションのフローチャートである。図７に示されるように、実施形態によって提供されるＰＷＳ再起動インジケーションのプロセスは、下記に説明されるステップを含む。
【００８７】
ステップ３０１０では、ＣＵは、Ｆ１インターフェースを通してＤＵに再起動インジケーション要求メッセージを伝送する。
【００８８】
ステップ３０２０では、ＤＵは、再起動インジケーション応答メッセージを通してＣＵに警報再起動セルリストを伝送する。
【００８９】
ステップ３０３０では、ＣＵは、受信された警報再起動セルリストをＰＷＳ再起動インジケーションの中にカプセル化し、ＰＷＳ再起動インジケーションを、ＮＧインターフェースを通してコアネットワークのＡＭＦに伝送する。
【００９０】
図８は、本開示のある実施形態によって提供される、ＰＷＳ失敗インジケーションのフローチャートである。図８に示されるように、実施形態によって提供されるＰＷＳ失敗インジケーションのプロセスは、下記に説明されるステップを含む。
【００９１】
ステップ４０１０では、ＣＵは、Ｆ１インターフェースを通してＤＵに失敗インジケーション要求メッセージを伝送する。
【００９２】
ステップ４０２０では、ＤＵは、失敗インジケーション応答メッセージを通してＣＵに警報失敗セルリストを伝送する。
【００９３】
ステップ４０３０では、ＣＵは、受信された警報失敗セルリストをＰＷＳ失敗インジケーションの中にカプセル化し、ＰＷＳ失敗インジケーションを、ＮＧインターフェースを通してコアネットワークデバイスに伝送する。
【００９４】
図９は、本開示のある実施形態によって提供される、ＰＷＳ再起動インジケーションのフローチャートである。図９に示されるように、実施形態によって提供されるＰＷＳ再起動インジケーションのプロセスは、下記に説明されるステップを含む。
【００９５】
ステップ５０１０では、ＤＵは、ＰＷＳ再起動インジケーションメッセージを通してＣＵに警報再起動セルリストを伝送する。
【００９６】
ステップ５０２０では、ＣＵは、受信された警報再起動セルリストをＰＷＳ再起動インジケーションの中にカプセル化し、ＰＷＳ再起動インジケーションを、ＮＧインターフェースを通してコアネットワークのＡＭＦに伝送する。
【００９７】
図１０は、本開示のある実施形態によって提供される、ＰＷＳ失敗インジケーションのフローチャートである。図１０に示されるように、実施形態によって提供されるＰＷＳ失敗インジケーションのプロセスは、下記に説明されるステップを含む。
【００９８】
ステップ６０１０では、ＤＵは、ＰＷＳ失敗インジケーションメッセージを通してＣＵに警報失敗セルリストをフィードバックする。
【００９９】
ステップ６０２０では、ＣＵは、受信された警報失敗セルリストをＰＷＳ失敗インジケーションの中にカプセル化し、ＰＷＳ失敗インジケーションを、ＮＧインターフェースを通してコアネットワークデバイスに伝送する。
【０１００】
前述の実施形態のスキームを使用して、ＥＴＷＳに対応するシステム情報等のＣＵ−ＤＵアーキテクチャ下でのＥＴＷＳの適用が、規定され、Ｆ１インターフェース上での基本災害警報プロセスは、明確に規定される。
【０１０１】
実施形態４
ある実施形態はさらに、記憶媒体を提供する。記憶媒体は、実行されているとき、上記に言及される実施形態のうちのいずれか１つにおいて説明される方法を実行する、記憶されたプログラムを含む。
【０１０２】
ある実施形態では、記憶媒体は、下記に説明されるステップを実行するためのプログラムコードを記憶するように配列されてもよい。
【０１０３】
ステップＳ１０では、警報無線リソース制御（ＲＲＣ）メッセージが、生成される。警報ＲＲＣメッセージは、公衆警報システム（ＰＷＳ）のシステム情報である。
【０１０４】
ある実施形態では、記憶媒体はさらに、下記に説明されるステップを実行するためのプログラムコードを記憶するように配列される。
【０１０５】
ステップＳ２０では、警報ＲＲＣメッセージは、公衆警報要求メッセージを通してＤＵに伝送される。
【０１０６】
ある実施形態では、記憶媒体は、限定ではないが、ＵＳＢディスク、ＲＯＭ、ＲＡＭ、モバイルハードディスク、磁気ディスク、および光ディスク等の、プログラムコードを記憶することが可能である、少なくとも１つの媒体を含んでもよい。
【０１０７】
ある実施形態はさらに、プロセッサを提供する。プロセッサは、実行されているとき、上記に言及される実施形態のうちのいずれか１つの方法におけるステップを実施する、プログラムを実行するように配列される。
【０１０８】
ある実施形態では、上記に説明されるプログラムは、下記に説明されるステップを実行するために使用される。
【０１０９】
ステップＳ１１０では、警報無線リソース制御（ＲＲＣ）メッセージが、生成される。警報ＲＲＣメッセージは、公衆警報システム（ＰＷＳ）のシステム情報である。
【０１１０】
ステップＳ１２０では、警報ＲＲＣメッセージは、公衆警報要求メッセージを通してＤＵに伝送される。
【０１１１】
ある実施形態では、実施形態の実施例に関して、上記の実施形態において説明される実施例が、参照され得、これは、その実施形態では繰り返されないであろう。
【０１１２】
当業者は、本開示の上記に言及される少なくとも１つのモジュールまたは少なくとも１つのステップが、汎用目的コンピューティング装置によって実装され得、上記に言及される少なくとも１つのモジュールまたは少なくとも１つのステップが、単一のコンピューティング装置上に集中される、もしくは複数のコンピューティング装置から構成されるネットワーク上に分散され得ることを把握するはずである。ある実施形態では、上記に言及される少なくとも１つのモジュールまたは少なくとも１つのステップは、それらが、記憶装置の中に記憶され、コンピューティング装置によって実行され得るように、コンピューティング装置によって実行可能なプログラムコードによって実装されてもよい。いくつかの状況では、例証または説明されるステップは、本明細書に説明されるものと異なるシーケンスで実行されてもよい、もしくは上記に言及される少なくとも１つのモジュールまたは少なくとも１つのステップは、別個に少なくとも１つの集積回路モジュールに作製されてもよい、もしくはその中の複数のモジュールまたはステップは、実装のために単一の集積回路モジュールに作製されてもよい。このように、本開示は、ハードウェアとソフトウェアとのいかなる具体的な組み合わせにも限定されない。
【図１】
2021503808.tif 000003
【図２】
2021503808.tif 000004
【図３】
2021503808.tif 000005
【図４】
2021503808.tif 000006
【図５】
2021503808.tif 000007
【図６】
2021503808.tif 000008
【図７】
2021503808.tif 000009
【図８】
2021503808.tif 000010
【図９】
2021503808.tif 000011
【図１０】
2021503808.tif 000012
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
警報情報を伝送するための方法であって、
集中型ユニット（ＣＵ）によって、警報無線リソース制御（ＲＲＣ）メッセージを生成することであって、前記警報ＲＲＣメッセージは、公衆警報システム（ＰＷＳ）のシステム情報を含む、ことと、
前記ＣＵによって、公衆警報要求メッセージを通して分散型ユニット（ＤＵ）に前記警報ＲＲＣメッセージを伝送することと、
前記公衆警報要求メッセージを通して前記ＤＵに前記警報ＲＲＣメッセージを伝送した後、前記ＤＵから公衆警報応答メッセージを受信することと
を含む、方法。
【請求項２】
前記公衆警報要求メッセージは、警報エリアリスト、繰り返し周期、または放送要求数のうちの少なくとも１つを含み、
前記警報ＲＲＣメッセージは、警報メッセージ識別子、警報メッセージ通し番号、データエンコード機構、または警報メッセージコンテンツのうちの少なくとも１つを含む、請求項１に記載の方法。
【請求項３】
前記公衆警報応答メッセージは、警報放送完了エリアリストを含む、請求項１に記載の方法。
【請求項４】
前記警報エリアリストは、セルリストの形態にある、請求項２に記載の方法。
【請求項５】
前記警報放送完了エリアリストは、セルリストの形態にある、請求項３に記載の方法。
【請求項６】
ＰＷＳ取消要求メッセージを生成し、Ｆ１インターフェースを通して前記ＤＵに前記ＰＷＳ取消要求メッセージを伝送することであって、前記ＰＷＳ取消要求メッセージは、前記警報ＲＲＣメッセージを終了させることを示すためのものである、ことと、
前記ＤＵからＰＷＳ取消応答メッセージを受信することと
をさらに含む、請求項１に記載の方法。
【請求項７】
前記ＰＷＳ取消要求メッセージは、警報取消予定エリアリストを含み、前記ＰＷＳ取消応答メッセージは、警報取消済エリアリストを含む、請求項６に記載の方法。
【請求項８】
前記警報取消予定エリアリストは、セルリストの形態にあり、前記警報取消済エリアリストは、セルリストの形態にある、請求項７に記載の方法。
【請求項９】
前記ＤＵから再起動セルリストおよび失敗セルリストを受信することと、
前記再起動セルリストおよび前記失敗セルリストをコアネットワークデバイスに伝送することと
をさらに含む、請求項１に記載の方法。
【請求項１０】
デバイスであって、
集中型ユニット（ＣＵ）の少なくとも１つのプロセッサを備え、
前記少なくとも１つのプロセッサは、
警報無線リソース制御（ＲＲＣ）メッセージを生成することであって、前記警報ＲＲＣメッセージは、公衆警報システム（ＰＷＳ）のシステム情報を含む、ことと、
公衆警報要求メッセージを通して分散型ユニット（ＤＵ）に前記警報ＲＲＣメッセージを伝送することと、
前記公衆警報要求メッセージを通して前記ＤＵに前記警報ＲＲＣメッセージを伝送した後、前記ＤＵから公衆警報応答メッセージを受信することと
を行うように構成されている、デバイス。
【請求項１１】
前記公衆警報要求メッセージは、警報エリアリスト、繰り返し周期、または放送要求数のうちの少なくとも１つを含み、前記警報ＲＲＣメッセージは、警報メッセージ識別子、警報メッセージ通し番号、データエンコード機構、または警報メッセージコンテンツのうちの少なくとも１つを含む、請求項１０に記載のデバイス。
【請求項１２】
前記公衆警報応答メッセージは、警報放送完了エリアリストを含む、請求項１０に記載のデバイス。
【請求項１３】
前記警報エリアリストは、セルリストの形態にある、請求項１１に記載のデバイス。
【請求項１４】
前記警報放送完了エリアリストは、セルリストの形態にある、請求項１２に記載のデバイス。
【請求項１５】
前記少なくとも１つのプロセッサは、
ＰＷＳ取消要求メッセージを生成し、Ｆ１インターフェースを通して前記ＤＵに前記ＰＷＳ取消要求メッセージを伝送することであって、前記ＰＷＳ取消要求メッセージは、前記警報ＲＲＣメッセージを終了させることを示すためのものである、ことと、
前記ＤＵからＰＷＳ取消応答メッセージを受信することと
を行うようにさらに構成されている、請求項１０に記載のデバイス。
【請求項１６】
前記ＰＷＳ取消要求メッセージは、警報取消予定エリアリストを含み、前記ＰＷＳ取消応答メッセージは、警報取消済エリアリストを含む、請求項１５に記載のデバイス。
【請求項１７】
前記警報取消予定エリアリストは、セルリストの形態にあり、前記警報取消済エリアリストは、セルリストの形態にある、請求項１６に記載のデバイス。
【請求項１８】
前記少なくとも１つのプロセッサは、
前記ＤＵから再起動セルリストおよび失敗セルリストを受信することと、
前記再起動セルリストおよび前記失敗セルリストをコアネットワークデバイスに伝送することと
を行うようにさらに構成されている、請求項１０に記載のデバイス。
【請求項１９】
命令を記憶する非一過性コンピュータ可読記憶媒体であって、前記命令は、少なくとも１つのプロセッサによって実行されるとき、前記少なくとも１つのプロセッサに、
警報無線リソース制御（ＲＲＣ）メッセージを生成することであって、前記警報ＲＲＣメッセージは、公衆警報システム（ＰＷＳ）のシステム情報を含む、ことと、
公衆警報要求メッセージを通して分散型ユニット（ＤＵ）に前記警報ＲＲＣメッセージを伝送することと、
前記公衆警報要求メッセージを通して前記ＤＵに前記警報ＲＲＣメッセージを伝送した後、前記ＤＵから公衆警報応答メッセージを受信することと
を行わせることが可能である、非一過性コンピュータ可読記憶媒体。
【請求項２０】
前記公衆警報要求メッセージは、警報エリアリスト、繰り返し周期、または放送要求数のうちの少なくとも１つを含み、前記警報ＲＲＣメッセージは、警報メッセージ識別子、警報メッセージ通し番号、データエンコード機構、または警報メッセージコンテンツのうちの少なくとも１つを含む、請求項１９に記載の非一過性コンピュータ可読記憶媒体。
【手続補正２】
【補正対象書類名】明細書
【補正対象項目名】００１２
【補正方法】変更
【補正の内容】
【００１２】
本開示はさらに、プロセッサを提供する。プロセッサは、実行されているとき、上記に説明される任意の方法を実施する、プログラムを実行するように配列される。
本願明細書は、例えば、以下の項目も提供する。
（項目１）
警報情報を伝送するための方法であって、
集中型ユニット（ＣＵ）によって、警報無線リソース制御（ＲＲＣ）メッセージを生成することであって、前記警報ＲＲＣメッセージは、公衆警報システム（ＰＷＳ）のシステム情報である、ことと、
前記ＣＵによって、公衆警報要求メッセージを通して分散型ユニット（ＤＵ）に前記警報ＲＲＣメッセージを伝送することと
を含む、方法。
（項目２）
前記公衆警報要求メッセージは、少なくとも、警報メッセージタイプと、警報メッセージ識別子と、警報メッセージ通し番号と、警報エリアリストと、繰り返し周期と、放送要求数と、警報同時インジケーションとのうちの１つを含む、項目１に記載の方法。
（項目３）
前記警報ＲＲＣメッセージは、少なくとも、警報メッセージ識別子と、警報メッセージ通し番号と、警報タイプと、警報セキュリティ情報と、データエンコード機構と、警報メッセージコンテンツとのうちの１つを含む、項目１または２に記載の方法。
（項目４）
前記ＣＵによって、前記公衆警報要求メッセージを通して前記ＤＵに前記警報ＲＲＣメッセージを伝送することは、前記ＣＵによって、Ｆ１インターフェースを使用することによって、前記公衆警報要求メッセージを通して前記ＤＵに前記警報ＲＲＣメッセージを伝送することを含む、項目１、２、または３に記載の方法。
（項目５）
前記警報ＲＲＣメッセージが、前記警報メッセージコンテンツを含む場合、前記ＣＵによって前記警報ＲＲＣメッセージを生成することは、前記ＣＵによって前記警報メッセージコンテンツを区画化することと、前記区画化された警報メッセージコンテンツに従って、前記警報ＲＲＣメッセージを生成することとを含む、項目３に記載の方法。
（項目６）
前記ＣＵによって、前記公衆警報要求メッセージを通して前記ＤＵに前記警報ＲＲＣメッセージを伝送した後、本方法はさらに、前記ＤＵによってフィードバックされる公衆警報応答メッセージを受信することを含む、項目１に記載の方法。
（項目７）
前記公衆警報応答メッセージは、少なくとも、警報メッセージタイプと、警報メッセージ識別子と、警報メッセージ通し番号と、警報放送完了エリアリストとを含む、項目６に記載の方法。
（項目８）
前記警報メッセージ識別子および前記警報メッセージ通し番号は、以下の様式、すなわち、ＲＲＣコンテナの中で搬送されることによって伝送される様式と、Ｆ１インターフェースを通して伝送される様式とのうちの一方で伝送される、項目７に記載の方法。
（項目９）
前記警報エリアリストは、セルリストの形態にある、項目２に記載の方法。
（項目１０）
前記警報放送完了エリアリストは、セルリストの形態にある、項目７に記載の方法。
（項目１１）
ＰＷＳ取消要求メッセージを生成し、Ｆ１インターフェースを通して前記ＤＵに前記ＰＷＳ取消要求メッセージを伝送することであって、前記ＰＷＳ取消要求メッセージは、前記警報ＲＲＣメッセージを終了させることを示すために使用される、ことと、
前記ＤＵによってフィードバックされる、ＰＷＳ取消応答メッセージを受信することと
をさらに含む、項目１に記載の方法。
（項目１２）
前記ＰＷＳ取消要求メッセージは、少なくとも、警報メッセージタイプと、警報メッセージ識別子と、警報メッセージ通し番号と、警報取消予定エリアリストとを含み、前記ＰＷＳ取消応答メッセージは、少なくとも、前記警報メッセージタイプと、前記警報メッセージ識別子と、前記警報メッセージ通し番号と、警報取消済エリアリストとを含む、項目１１に記載の方法。
（項目１３）
前記警報取消予定エリアリストは、セルリストの形態にあり、前記警報取消済エリアリストは、セルリストの形態にある、項目１２に記載の方法。
（項目１４）
前記警報メッセージ識別子および前記警報メッセージ通し番号は、以下の様式、すなわち、ＲＲＣコンテナの中で搬送されることによって伝送される様式と、Ｆ１インターフェースを通して伝送される様式とのうちの一方で伝送される、項目１２または１３に記載の方法。
（項目１５）
前記ＤＵによって伝送される、再起動セルリストおよび失敗セルリストを受信することと、
前記再起動セルリストおよび前記失敗セルリストをコアネットワークデバイスに伝送することと
をさらに含む、項目１に記載の方法。
（項目１６）
前記ＤＵによって伝送される、前記再起動セルリストおよび前記失敗セルリストを受信することは、前記ＤＵによって、ＰＷＳ再起動インジケーションメッセージを通して伝送される、前記再起動セルリストと、前記ＤＵによって、ＰＷＳ失敗インジケーションメッセージを通して伝送される、前記失敗セルリストとを受信することを含む、項目１５に記載の方法。
（項目１７）
前記警報メッセージ識別子が、前記ＲＲＣコンテナの中で搬送されることによって伝送され、前記警報メッセージ識別子および前記警報メッセージ通し番号が、前記警報ＲＲＣメッセージの中でエンコードされている場合、本方法はさらに、前記ＣＵによって、前記ＤＵにＦ１インターフェースメッセージの関連付けられる識別情報を伝送することを含み、前記関連付けられる識別情報は、現在の警報プロセスを示すために使用される、項目１４に記載の方法。
（項目１８）
警報情報を伝送するための方法であって、
分散型ユニット（ＤＵ）によって、集中型ユニット（ＣＵ）によって公衆警報要求メッセージを通して伝送される、警報パラメータを受信することと、
前記ＤＵによって、前記警報パラメータを使用することによって警報無線リソース制御（ＲＲＣ）メッセージを生成することであって、前記警報ＲＲＣメッセージは、公衆警報システム（ＰＷＳ）のシステム情報である、ことと、
前記ＤＵによって、公衆警報応答メッセージを通して前記ＣＵに前記警報ＲＲＣメッセージを伝送することと
を含む、方法。
（項目１９）
前記警報パラメータは、少なくとも、警報メッセージタイプと、警報メッセージ識別子と、警報エリアリストと、警報メッセージコンテンツと、警報メッセージ通し番号と、繰り返し周期と、拡張繰り返し周期と、放送要求数と、警報タイプと、警報セキュリティ情報と、データエンコード機構と、同時警報メッセージインジケーションとのうちの１つを含む、項目１８に記載の方法。
（項目２０）
前記警報ＲＲＣメッセージは、少なくとも、警報メッセージ識別子と、警報メッセージ通し番号と、警報タイプと、警報セキュリティ情報と、データエンコード機構と、警報メッセージコンテンツとのうちの１つを含む、項目１８または１９に記載の方法。
（項目２１）
前記公衆警報応答メッセージは少なくとも、警報メッセージタイプと、警報メッセージ識別子と、警報メッセージ通し番号と、警報放送完了エリアリストとを含む、項目１８に記載の方法。
（項目２２）
前記ＣＵによって伝送される、ＰＷＳ取消要求メッセージを受信し、ＰＷＳ取消応答メッセージを生成し、Ｆ１インターフェースを通して前記ＣＵに前記ＰＷＳ取消応答メッセージを伝送することであって、前記ＰＷＳ取消要求メッセージは、警報を終了させることを示すために使用される、ことと、
前記ＣＵに前記ＰＷＳ取消応答メッセージをフィードバックすることと
をさらに含む、項目１８に記載の方法。
（項目２３）
前記ＰＷＳ取消要求メッセージは、少なくとも、警報メッセージタイプと、警報メッセージ識別子と、警報メッセージ通し番号と、警報取消予定エリアリストとを含み、前記ＰＷＳ取消応答メッセージは、少なくとも、前記警報メッセージタイプと、前記警報メッセージ識別子と、前記警報メッセージ通し番号と、警報取消済エリアリストとを含む、項目２２に記載の方法。
（項目２４）
前記ＣＵに再起動セルリストおよび失敗セルリストを伝送し、前記ＣＵが、コアネットワークデバイスに前記再起動セルリストおよび前記失敗セルリストを伝送することを可能にすることをさらに含む、項目１８に記載の方法。
（項目２５）
前記警報エリアリストは、セルリストの形態にある、項目１９に記載の方法。
（項目２６）
前記警報放送完了エリアリストは、セルリストの形態にある、項目２１に記載の方法。
（項目２７）
前記警報取消予定エリアリストは、セルリストの形態にあり、前記警報取消済エリアリストは、セルリストの形態にある、項目２３に記載の方法。
（項目２８）
前記警報メッセージ識別子および前記警報メッセージ通し番号は、以下の様式、すなわち、ＲＲＣコンテナの中で搬送されることによって伝送される様式と、Ｆ１インターフェースを通して伝送される様式とのうちの一方で伝送される、項目２０に記載の方法。
（項目２９）
前記警報メッセージ識別子が、前記ＲＲＣコンテナの中で搬送されることによって伝送され、前記警報メッセージ識別子および前記警報メッセージ通し番号が、前記警報ＲＲＣメッセージの中でエンコードされている場合、本方法はさらに、前記ＣＵによって伝送される、Ｆ１インターフェースメッセージの関連付けられる識別情報を受信することを含み、前記関連付けられる識別情報は、現在の警報プロセスを示すために使用される、項目２８に記載の方法。
（項目３０）
前記ＣＵに前記再起動セルリストおよび前記失敗セルリストを伝送することは、
ＰＷＳ再起動インジケーションメッセージを通して前記ＣＵに前記再起動セルリストを伝送することと、
ＰＷＳ失敗インジケーションメッセージを通して前記ＣＵに前記失敗セルリストを伝送することと
を含む、項目２４に記載の方法。
（項目３１）
集中型ユニット（ＣＵ）に適用される、警報情報を伝送するための装置であって、
警報無線リソース制御（ＲＲＣ）メッセージを生成するように構成される、生成モジュールであって、前記警報ＲＲＣメッセージは、公衆警報システムのシステム情報である、生成モジュールと、
公衆警報要求メッセージを通して分散型ユニット（ＤＵ）に前記警報ＲＲＣメッセージを伝送するように構成される、伝送モジュールと
を備える、装置。
（項目３２）
分散型ユニット（ＤＵ）に適用される、警報情報を伝送するための装置であって、
集中型ユニット（ＣＵ）によって公衆警報要求メッセージを通して伝送される、警報パラメータを受信するように構成される、受信モジュールと、
前記警報パラメータを使用することによって警報無線リソース制御（ＲＲＣ）メッセージを生成するように構成される、生成モジュールであって、前記警報ＲＲＣメッセージは、公衆警報システムのシステム情報である、生成モジュールと、
公衆警報応答メッセージを通して前記ＣＵに前記警報ＲＲＣメッセージを伝送するように構成される、伝送モジュールと
を備える、装置。
（項目３３）
記憶媒体であって、実行されているとき、項目１〜３０のいずれか１項に記載の方法を実行する、プログラムを記憶する、記憶媒体。
（項目３４）
プロセッサであって、実行されているとき、項目１〜３０のいずれか１項に記載の方法を実行する、プログラムを実行するように構成される、プロセッサ。
【国際調査報告】
2021503808.tif 000013
2021503808.tif 000014
2021503808.tif 000015
2021503808.tif 000016